(57)【要約】【課題】トラフィックを増大させることなく、ＱＣＩの各パラメータのオフセット値を柔軟に設定すること。【解決手段】ＥＰＣ１１は、eNodeB（特定基地局）１２の特性毎に、ＱＣＩの各パラメータのオフセット値を対応付けて記憶する記憶部１０１と、受信した要求信号に含まれる基地局識別情報に基づいて、要求信号を送信した特定基地局の特性を判定する制御部１０２と、特定基地局の特性に対応する各パラメータのオフセット値を示す情報を特定基地局に送信する通信部１０３と、を具備する。【選択図】図２
2018142794.tif 000002
【特許請求の範囲】
【請求項１】
基地局の特性毎に、ＱＣＩ（QoS Class Identifier）の各パラメータのオフセット値を対応付けて記憶する記憶部と、
受信した要求信号に含まれる基地局識別情報に基づいて前記要求信号を送信した特定基地局の特性を判定し、前記特性に基づいて前記各パラメータのオフセットの要否を判定するオフセット判定部と、
前記オフセットが必要な場合に、前記特定基地局の特性に対応する前記各パラメータのオフセット値を算出するオフセット算出部と、
前記オフセット値を示す情報を前記特定基地局に送信する送信部と、
を具備する通信制御装置。
【請求項２】
前記記憶部は、端末毎に、ＱＣＩの各パラメータのオフセット値を対応付けて記憶し、
受信した要求信号に含まれる端末識別情報に基づいて前記要求信号を送信した端末個別の各パラメータのオフセットの要否を判定する端末個別オフセット判定部と、
前記端末個別にオフセットが必要な場合に、前記端末の各パラメータのオフセット値を算出する端末個別オフセット算出部と、
をさらに具備し、
前記送信部は、前記端末個別の各パラメータのオフセット値を示す情報を、前記特定基地局を介して前記端末に送信する、
請求項１に記載の通信制御装置。
【請求項３】
特定基地局から基地局識別情報を含む要求信号を受信し、
前記基地局識別情報に基づいて前記特定基地局の特性を判定し、
前記特性に基づいて、ＱＣＩ（QoS Class Identifier）の各パラメータのオフセットの要否を判定し、
前記オフセットが必要な場合に、前記特定基地局の特性に対応する前記各パラメータのオフセット値を算出し、
前記オフセット値を示す情報を前記特定基地局に送信する、
ＱｏＳ制御方法。
【請求項４】
前記特定基地局を介して端末から端末識別情報を含む要求信号を受信し、
前記端末識別情報に基づいて前記端末個別の各パラメータのオフセットの要否を判定し、
前記端末個別にオフセットが必要な場合に、前記端末の各パラメータのオフセット値を算出し、
前記端末個別の各パラメータのオフセット値を示す情報を、前記特定基地局を介して前記端末に送信する、
請求項３に記載のＱｏＳ制御方法。
【発明の詳細な説明】
【技術分野】
【０００１】
本発明は、通信制御装置およびＱｏＳ制御方法に関する。
【背景技術】
【０００２】
無線通信システムでは、ネットワーク上で提供するサービス品質であるＱｏＳ（Quality of Service）がアプリケーション毎に予め決められている。また、ＱｏＳを処理するパラメータとしてＱＣＩ（QoS Class Identifier）が、３ＧＰＰの文書に規定されている。ＵＥ（端末）およびeNodeB（基地局）が、ＱＣＩに基づく優先制御を行うことにより、トラフィックの集中等によって一部のパケットを破棄する必要性が生じた場合に、重要なパケットが破棄されないようにしている。
【０００３】
３ＧＰＰでは、ＱＣＩ値毎に、ＧＢＲ（保証データレート）、優先度、ＰＤＢ（許容遅延時間）、ＰＥＬＲ（パケットロス率）の各パラメータが規定されている。特許文献１には、使用するサービスに合わせて、端末毎に、ＱＣＩの既存の各パラメータにオフセット値を付けることにより、各パラメータを柔軟に設定する技術が記載されている。
【先行技術文献】
【特許文献】
【０００４】
【特許文献１】特表２０１２−５２４４６３号公報
【発明の概要】
【発明が解決しようとする課題】
【０００５】
しかしながら、全てのＵＥに対してＵＥ毎にＱＣＩの各パラメータのオフセット値を設定すると、eNodeBがスケジューリング時に全オフセット値を考慮してリソース割当を行わなければならないため、ＵＥ数が増加した場合に管理が煩雑になる。また、ＵＥ毎にＱＣＩの各パラメータのオフセット値を設定すると、ＵＥからeNodeBにオフセット値を知らせるためのシグナリングの送信量が増加するため、上り回線のトラフィックが増大してしまう。
【０００６】
本開示の一態様は、トラフィックを増大させることなく、ＱＣＩの各パラメータのオフセット値を柔軟に設定することができる通信制御装置およびＱｏＳ制御方法を開示する。
【課題を解決するための手段】
【０００７】
本開示の一態様に係る通信制御装置は、基地局の特性毎に、ＱＣＩ（QoS Class Identifier）の各パラメータのオフセット値を対応付けて記憶する記憶部と、受信した要求信号に含まれる基地局識別情報に基づいて前記要求信号を送信した特定基地局の特性を判定し、前記特性に基づいて前記各パラメータのオフセットの要否を判定するオフセット判定部と、前記オフセットが必要な場合に、前記特定基地局の特性に対応する前記各パラメータのオフセット値を算出するオフセット算出部と、前記オフセット値を示す情報を前記特定基地局に送信する送信部と、を具備する。
【０００８】
本開示の一態様に係るＱｏＳ制御方法は、特定基地局から基地局識別情報を含む要求信号を受信し、前記基地局識別情報に基づいて前記特定基地局の特性を判定し、前記特性に基づいて、ＱＣＩ（QoS Class Identifier）の各パラメータのオフセットの要否を判定し、前記オフセットが必要な場合に、前記特定基地局の特性に対応する前記各パラメータのオフセット値を算出し、前記オフセット値を示す情報を前記特定基地局に送信する。
【発明の効果】
【０００９】
本開示の一態様によれば、トラフィックを増大させることなく、ＱＣＩの各パラメータのオフセット値を柔軟に設定することができる。
【図面の簡単な説明】
【００１０】
【図１】本発明の実施の形態１に係る通信システムの構成を示す図
【図２】本発明の実施の形態１に係る制御局の構成を示すブロック図
【図３】本発明の実施の形態１に係るテーブルを示す図
【図４】本発明の実施の形態１に係るテーブルを示す図
【図５】本発明の実施の形態１に係る基地局の構成を示すブロック図
【図６】本発明の実施の形態１に係る端末の構成を示すブロック図
【図７】本発明の実施の形態１に係る通信システムの通信手順を示す図
【図８】本発明の実施の形態２に係る制御局の構成を示すブロック図
【図９】本発明の実施の形態２に係るテーブルを示す図
【図１０】本発明の実施の形態２に係るテーブルを示す図
【図１１】本発明の実施の形態２に係るテーブルを示す図
【図１２】本発明の実施の形態２に係る基地局の構成を示すブロック図
【図１３】本発明の実施の形態２に係る端末の構成を示すブロック図
【図１４】本発明の実施の形態２に係る通信システムの通信手順を示す図
【発明を実施するための形態】
【００１１】
以下、図面を適宜参照して、本発明の実施の形態について、詳細に説明する。なお、添付図面および以下の説明は、当業者が本開示を十分に理解するために、提供されるのであって、これらにより特許請求の範囲に記載の主題を限定することは意図されていない。
【００１２】
（実施の形態１）
＜通信システム構成＞
本発明の実施の形態１に係る通信システム１の構成について、図１を参照しながら、以下に詳細に説明する。
【００１３】
通信システム１は、ＥＰＣ（Evolved Packet Core）１１と、基地局としてのeNodeB１２と、端末としてのＵＥ１３と、を有している。
【００１４】
ＥＰＣ１１は、ネットワーク制御のC-plane（Control plane）を扱うＭＭＥ（Mobility Management Entity）とユーザーデータのパケットデータであるU-plane（User plane）を扱うＳ−ＧＷ（Serving Gateway）およびインターネットのような外部ネットワークへ接続するためのＰ−ＧＷ（PDN：Packet data network Gateway）で構成されている。
【００１５】
ＥＰＣ１１は、インターネット等のネットワークに接続しており、eNodeB１２から受信した要求信号に含まれる基地局識別情報に基づいて、eNodeB１２（特定基地局）の特性を判定し、該特性に応じたＱＣＩの各パラメータのオフセット値を示す情報（以下、「オフセット情報」という）をeNodeB１２に送信する。
【００１６】
eNodeB１２は、３ＧＰＰに規定されているＱｏＳ情報に基づいて、自セルのＵＥ１３との間で送受信するパケットのスケジューリングを行う。eNodeB１２は、ＥＰＣ１１から受信したオフセット情報に基づいてＱｏＳ情報を補正すると共に、オフセット情報を通知するための報知信号を生成し、生成した報知信号をＵＥ１３に無線送信する。
【００１７】
ＵＥ１３は、ＱｏＳ情報に基づいて、eNodeB１２との間で無線により送受信するパケットのスケジューリングを行う。ＵＥ１３は、eNodeB１２から受信した報知信号により通知されるオフセット情報に基づいてＱｏＳ情報を補正する。
【００１８】
＜ＥＰＣの構成＞
本発明の実施の形態１に係るＥＰＣ１１の構成について、図２を参照しながら、以下に詳細に説明する。
【００１９】
ＥＰＣ１１は、記憶部１０１と、制御部１０２と、通信部１０３と、から主に構成されている。制御部１０２は、メッセージ解読部１０２１と、オフセット判定部１０２２と、オフセット値算出部１０２３と、ＱｏＳ情報補正部１０２４と、リソース制御部１０２５と、を備えている。かかるメッセージ解読部１０２１、オフセット判定部１０２２、オフセット値算出部１０２３、ＱｏＳ情報補正部１０２４及びリソース制御部１０２５は、制御部１０２における制御プログラム実行時の機能ブロックとして構成される。
【００２０】
記憶部１０１は、図３に示すように、eNodeB１２を識別する基地局識別情報（eNodeB ID）と、eNodeB１２が提供するサービスの内容と、を対応付けたテーブル＃１を予め記憶している。
【００２１】
また、記憶部１０１は、図４に示すように、サービスの内容と、ＱＣＩ値と、優先度のオフセット値（Offset_Priority）と、ＰＤＢのオフセット値（Offset_PDB）と、ＰＥＬＲのオフセット値（Offset_PELR）と、を対応付けたテーブル＃２を予め記憶している。
【００２２】
テーブル＃１及びテーブル＃２は、オペレータによって予め準備されており、任意のタイミングで修正される。
【００２３】
また、記憶部１０１は、ＱｏＳ情報を記憶している。ＱｏＳ情報は、３ＧＰＰによりＱＣＩ値毎に規定されたＧＢＲ、優先度、ＰＤＢ及びＰＥＬＲ等の各パラメータの情報である。
【００２４】
制御部１０２は、例えばＣＰＵであり、通信部１０３から入力したメッセージに含まれる基地局識別情報と、記憶部１０１に記憶されている各テーブルの参照結果とに基づいて、要求信号を送信した特定基地局の特性（サービスの内容）を判定し、該特性に基づいて各パラメータのオフセット（補正）の要否を判定し、補正が必要な場合に該特性に対応するオフセット情報を通信部１０３に出力する。また、制御部１０２は、ＱｏＳ情報に基づいてeNodeB１２との間で送受信するパケットのスケジューリングを行い、オフセット情報に基づいてＱｏＳ情報を補正する。
【００２５】
メッセージ解読部１０２１は、通信部１０３から入力するメッセージを解読する。メッセージ解読部１０２１は、解読したメッセージに基地局識別情報が含まれている場合に、その基地局識別情報をオフセット判定部１０２２に出力する。
【００２６】
オフセット判定部１０２２は、記憶部１０１に記憶されているテーブル＃１において、メッセージ解読部１０２１から入力した基地局識別情報に対応付けられているサービスの内容（特性）を判定する。また、オフセット判定部１０２２は、記憶部１０１に記憶されているテーブル＃２において、判定したサービスに対応付けられている優先度、ＰＤＢ及びＰＥＬＲの各オフセット値が「０」でない場合に、オフセットを使用すると判定する。一方、オフセット判定部１０２２は、記憶部１０１に記憶されているテーブル＃２において、判定したサービスに対応付けられている優先度、ＰＤＢ及びＰＥＬＲの各オフセット値が「０」である場合に、オフセットを使用しないと判定する。オフセット判定部１０２２は、判定したサービスの内容と共にオフセットを使用するか否かの判定結果をオフセット値算出部１０２３に出力する。
【００２７】
オフセット値算出部１０２３は、オフセット判定部１０２２から入力する判定結果がオフセットを使用する判定結果である場合に、記憶部１０１に記憶されているテーブル＃２において、オフセット判定部１０２２から入力するサービスの内容に対応付けられている優先度、ＰＤＢ及びＰＥＬＲの各オフセット値を決定する。オフセット値算出部１０２３は、決定した優先度、ＰＤＢ及びＰＥＬＲの各オフセット情報をＱｏＳ情報補正部１０２４及び通信部１０３に出力する。
【００２８】
ＱｏＳ情報補正部１０２４は、オフセット値算出部１０２３から入力する各オフセット情報を用いて、記憶部１０１に記憶しているＱｏＳ情報を補正する。例えば、図４に示すテーブル＃２のサービスの内容Ａに対応付けられているオフセット情報がオフセット値算出部１０２３から入力した際、ＱｏＳ情報補正部１０２４は、記憶部１０１に記憶しているＱｏＳ情報におけるＱＣＩ値７の優先度、ＰＤＢ及びＰＥＬＲの各パラメータ値に対して、優先度を「＋１」、ＰＤＢを「＋５０」及びＰＥＬＲを「×１０１」だけ補正（オフセット）する。
【００２９】
また、ＱｏＳ情報補正部１０２４は、補正後のＱｏＳ情報をリソース制御部１０２５に出力する。
【００３０】
リソース制御部１０２５は、記憶部１０１に記憶されているＱｏＳ情報に基づいて、eNodeB１２との間で送受信するパケットのスケジューリングを行う。また、リソース制御部１０２５は、ＱｏＳ情報補正部１０２４より補正後のＱｏＳ情報が入力した際に、補正後のＱｏＳ情報に基づいて、eNodeB１２との間で送受信するパケットのスケジューリングを行う。
【００３１】
通信部１０３は、所定の受信処理を実行することにより、eNodeB１２より送信された信号を受信し、受信した信号に含まれているメッセージを抽出して制御部１０２のメッセージ解読部１０２１に出力する。また、通信部１０３は、所定の送信処理を実行することにより、制御部１０２のオフセット値算出部１０２３から入力するオフセット情報を含む信号を生成してeNodeB１２に送信する。
【００３２】
＜eNodeBの構成＞
本発明の実施の形態１に係るeNodeB１２の構成について、図５を参照しながら、以下に詳細に説明する。
【００３３】
eNodeB１２は、通信部１２１と、制御部１２２と、送受信部１２３と、から主に構成されている。制御部１２２は、ＱｏＳ情報補正部１２２１と、リソース制御部１２２２と、を備えている。ＱｏＳ情報補正部１２２１及びリソース制御部１２２２は、制御部１２２における制御プログラム実行時の機能ブロックとして構成される。
【００３４】
通信部１２１は、所定のメッセージを含む信号をＥＰＣ１１に送信する。また、通信部１２１は、所定の受信処理を実行することにより、ＥＰＣ１１から送信される信号を受信し、受信した信号に含まれるオフセット情報を抽出して制御部１２２のＱｏＳ情報補正部１２２１に出力する。
【００３５】
制御部１２２は、例えばＣＰＵであり、ＱｏＳ情報に基づいてＥＰＣ１１及びＵＥ１３との間で送受信するパケットのスケジューリングを行い、ＥＰＣ１１から受信したオフセット情報に基づいてＱｏＳ情報を補正する。
【００３６】
ＱｏＳ情報補正部１２２１は、通信部１２１から入力するオフセット情報を用いて、既に取得済みのＱｏＳ情報を補正し、補正後のＱｏＳ情報及びオフセット情報をリソース制御部１２２２に出力する。
【００３７】
リソース制御部１２２２は、ＱｏＳ情報に基づいて、ＥＰＣ１１及びＵＥ１３との間で送受信するパケットのスケジューリングを行う。リソース制御部１２２２は、ＱｏＳ情報補正部１２２１より補正後のＱｏＳ情報が入力した際に、補正後のＱｏＳ情報に基づいて、ＥＰＣ１１及びＵＥ１３との間で送受信するパケットのスケジューリングを行う。また、リソース制御部１２２２は、ＱｏＳ情報補正部１２２１よりオフセット情報が入力した際に、オフセット情報を含む新たな報知信号を生成するか、又は既存の報知信号にオフセット情報を含め、オフセット情報を含む報知信号を送受信部１２３に出力する。
【００３８】
送受信部１２３は、所定の無線処理を実行することにより、制御部１２２のリソース制御部１２２２から入力する報知信号を無線信号に変換してＵＥ１３に無線送信する。
【００３９】
＜ＵＥの構成＞
本発明の実施の形態１に係るＵＥ１３の構成について、図６を参照しながら、以下に詳細に説明する。
【００４０】
ＵＥ１３は、送受信部１３１と、制御部１３２と、から主に構成されている。制御部１３２は、データ解読部１３２１と、ＱｏＳ情報補正部１３２２と、リソース制御部１３２３と、を備えている。データ解読部１３２１、ＱｏＳ情報補正部１３２２及びリソース制御部１３２３は、制御部１３２における制御プログラム実行時の機能ブロックとして構成される。
【００４１】
送受信部１３１は、所定の無線処理を実行することにより、eNodeB１２から無線送信された無線信号を受信し、無線信号を報知信号に変換して制御部１３２のデータ解読部１３２１に出力する。
【００４２】
制御部１３２は、例えばＣＰＵであり、ＱｏＳ情報に基づいてeNodeB１２との間で送受信するパケットのスケジューリングを行い、eNodeB１２から受信したオフセット情報に基づいてＱｏＳ情報を補正する。
【００４３】
データ解読部１３２１は、送受信部１３１から入力する報知信号に含まれているメッセージを取得する。また、データ解読部１３２１は、取得したメッセージにオフセット値を示す情報が含まれている場合に、オフセット値を示す情報をＱｏＳ情報補正部１３２２に出力する。
【００４４】
ＱｏＳ情報補正部１３２２は、データ解読部１３２１から入力するオフセット情報を用いて、既に取得済みのＱｏＳ情報を補正する。また、ＱｏＳ情報補正部１３２２は、補正後のＱｏＳ情報をリソース制御部１３２３に出力する。
【００４５】
リソース制御部１３２３は、ＱｏＳ情報に基づいて、eNodeB１２との間で送受信するパケットのスケジューリングを行う。リソース制御部１３２３は、ＱｏＳ情報補正部１３２２より補正後のＱｏＳ情報が入力した際に、補正後のＱｏＳ情報に基づいて、eNodeB１２との間で送受信するパケットのスケジューリングを行う。
【００４６】
＜通信手順＞
本発明の実施の形態１に係る通信手順について、図７を参照しながら、以下に詳細に説明する。
【００４７】
まず、eNodeB１２は基地局識別情報を含むメッセージS1 SETUP REQUESTをＥＰＣ１１に送信し、ＥＰＣ１１はeNodeB１２よりメッセージS1 SETUP REQUESTを受信する（Ｓ１）。
【００４８】
次に、ＥＰＣ１１は、オフセットを使用するか否かを判定し、オフセットを使用する場合に、基地局識別情報及び記憶部１０１に記憶されているテーブル＃１及びテーブル＃２に基づいて、優先度、ＰＤＢ及びＰＥＬＲの各オフセット値を決定する（Ｓ２）。
【００４９】
次に、ＥＰＣ１１は決定した優先度、ＰＤＢ及びＰＥＬＲの各オフセット情報を含むS1 SETUP RESPONSEをeNodeB１２に送信し、eNodeB１２はオフセット情報を含むS1 SETUP RESPONSEを受信する（Ｓ３）。
【００５０】
次に、ＥＰＣ１１はオフセット情報を用いて取得済みのＱｏＳ情報を補正する（Ｓ４）。また、eNodeB１２は、オフセット情報を用いて取得済みのＱｏＳ情報を補正する（Ｓ５）。
【００５１】
次に、ＥＰＣ１１及びeNodeB１２は、補正されたＱｏＳ情報に基づいて、送受信するパケットのスケジューリングを行う（Ｓ６）。
【００５２】
次に、eNodeB１２は、オフセット情報を含む報知信号ＳＩＢをＵＥ＃１及びＵＥ＃２に送信する（Ｓ７）。
【００５３】
次に、ＵＥ＃１はオフセット情報を用いて取得済みのＱｏＳ情報を補正する（Ｓ８）。また、ＵＥ＃２はオフセット情報を用いて取得済みのＱｏＳ情報を補正する（Ｓ９）。
【００５４】
次に、ＵＥ＃１及びＵＥ＃２は、補正されたＱｏＳ情報に基づいて、送受信するパケットのスケジューリングを行う（Ｓ１０）。
【００５５】
＜効果＞
このように、本実施の形態によれば、受信した要求信号に含まれる基地局識別情報に基づいて、要求信号を送信した特定基地局の特性を判定すると共に、特定基地局の特性に対応するＱＣＩの各パラメータのオフセット情報を特定基地局に送信する。これにより、トラフィックを増大させることなく、ＱＣＩの各パラメータのオフセット値を柔軟に設定することができる。
【００５６】
（実施の形態２）
本発明の実施の形態２において、通信システムの構成は図１と同一構成であるので、その説明を省略する。
【００５７】
＜ＥＰＣの構成＞
本発明の実施の形態２に係るＥＰＣ２１の構成について、図８を参照しながら、以下に詳細に説明する。なお、図８に示すＥＰＣ２１の構成において、図２に示したＥＰＣ１１の構成と共通する部分には同一符号を付して、その説明を省略する。
【００５８】
ＥＰＣ２１は、ＥＰＣ１１と比較して、制御部１０２の代わりに制御部２０２を有する。また、ＥＰＣ２１では、ＥＰＣ１１に対して、記憶部１０１および通信部１０３の機能が追加される。制御部２０２は、制御部１０２と比較して、メッセージ解読部２０２１と、ＵＥ個別オフセット判定部２０２２と、ＵＥ個別オフセット値算出部２０２３と、メッセージ生成部２０２４と、を追加する構成を採る。かかるメッセージ解読部２０２１、ＵＥ個別オフセット判定部２０２２、ＵＥ個別オフセット値算出部２０２３及びメッセージ生成部２０２４は、制御部２０２における制御プログラム実行時の機能ブロックとして構成される。また、制御部２０２では、制御部１０２に対して、ＱｏＳ情報補正部１０２４の機能が追加される。
【００５９】
記憶部１０１は、図３に示すテーブル＃１及び図４に示すテーブル＃２を予め記憶している。さらに、記憶部１０１は、図９に示すように、ＵＥ識別情報及びＱＣＩ情報と、ＱＣＩ値と、優先度のオフセット値と、ＰＤＢのオフセット値と、ＰＥＬＲのオフセット値と、を対応付けたテーブル＃３を予め記憶している。図９に示すテーブル＃３おいて、アルファベットがＵＥ識別情報であり、数値がＱＣＩ情報である。
【００６０】
制御部２０２は、通信部１０３から入力するメッセージに含まれるＵＥ２３のＱＣＩ情報及びＵＥ識別情報のセットと、記憶部１０１に記憶されているテーブル＃３の参照結果と、に基づいて、ＵＥ毎の各パラメータのオフセット情報を通信部１０３に出力する。また、制御部２０２は、ＱｏＳ情報に基づいてeNodeB２２との間で送受信するパケットのスケジューリングを行い、ＵＥ毎の各パラメータのオフセット情報に基づいてＱｏＳ情報を補正する。なお、制御部２０２における上記以外の機能は制御部１０２と同一である。
【００６１】
メッセージ解読部２０２１は、通信部１０３から入力するメッセージを解読する。メッセージ解読部２０２１は、解読したメッセージにＱＣＩ情報及びＵＥ識別情報のセットが含まれている場合に、そのＱＣＩ情報及びＵＥ識別情報のセットをＵＥ個別オフセット判定部２０２２に出力する。
【００６２】
ＵＥ個別オフセット判定部２０２２は、記憶部１０１に記憶されている図９に示すテーブル＃３において、メッセージ解読部２０２１から入力したベアラ生成を希望するＵＥのＱＣＩ情報及びＵＥ識別情報のセットに対応付けられている、優先度、ＰＤＢ及びＰＥＬＲの各オフセット値が「０」でない場合に、オフセットを使用すると判定する。一方、ＵＥ個別オフセット判定部２０２２は、記憶部１０１に記憶されているテーブル＃３において、メッセージ解読部２０２１から入力したベアラ生成を希望するＵＥのＱＣＩ情報及びＵＥ識別情報のセットに対応付けられている、優先度、ＰＤＢ及びＰＥＬＲの各オフセット値が「０」である場合に、オフセットを使用しないと判定する。ＵＥ個別オフセット判定部２０２２は、ＵＥ識別情報と共にオフセットを使用するか否かのＵＥ毎の判定結果をＵＥ個別オフセット値算出部２０２３に出力する。
【００６３】
ＵＥ個別オフセット値算出部２０２３は、ＵＥ個別オフセット判定部２０２２から入力する判定結果がオフセットを使用する判定結果である場合に、記憶部１０１に記憶されているテーブル＃３において、ＵＥ個別オフセット判定部２０２２から入力するＵＥ識別情報に対応付けられている優先度、ＰＤＢ及びＰＥＬＲの各オフセット値をＵＥ毎に決定する。ＵＥ個別オフセット値算出部２０２３は、決定したＵＥ毎の優先度、ＰＤＢ及びＰＥＬＲの各オフセット情報をＱｏＳ情報補正部１０２４及びメッセージ生成部２０２４に出力する。
【００６４】
メッセージ生成部２０２４は、ＵＥ個別オフセット値算出部２０２３から入力するＵＥ毎の各オフセット情報を含むメッセージを生成して通信部１０３に出力する。
【００６５】
ＱｏＳ情報補正部１０２４は、ＵＥ個別オフセット値算出部２０２３から入力するＵＥ毎の各オフセット情報を用いて、記憶部１０１に記憶されているＱｏＳ情報を補正する。または、ＱｏＳ情報補正部１０２４は、オフセット値算出部１０２３から入力する各オフセット情報を用いて、記憶部１０１に記憶されているＱｏＳ情報を補正すると共に、ＵＥ個別オフセット値算出部２０２３から入力するＵＥ毎の各オフセット情報を用いて、補正したＱｏＳ情報を更に補正する。
【００６６】
また、ＱｏＳ情報補正部１０２４は、例えば、図１０に示すeNodeB２２用のテーブル＃４と、図１１に示すＵＥ２３用のテーブル＃５と、に分けてＱｏＳ情報の管理を行う。
【００６７】
また、ＱｏＳ情報補正部１０２４は、補正後のＱｏＳ情報をリソース制御部１０２５に出力する。
【００６８】
通信部１０３は、所定の受信処理を実行することにより、eNodeB２２より送信された信号を受信し、受信した信号に含まれているメッセージを抽出して制御部２０２のメッセージ解読部１０２１及びメッセージ解読部２０２１に出力する。また、通信部１０３は、所定の送信処理を実行することにより、オフセット値算出部１０２３から入力するオフセット情報、ＵＥ個別オフセット値算出部２０２３から入力するＵＥ毎のオフセット情報、及びメッセージ生成部２０２４から入力するメッセージを含む信号を生成してeNodeB２２に送信する。
【００６９】
＜eNodeBの構成＞
本発明の実施の形態２に係るeNodeB２２の構成について、図１２を参照しながら、以下に詳細に説明する。なお、図１２に示すeNodeB２２の構成において、図５に示したeNodeB１２の構成と共通する部分には同一符号を付して、その説明を省略する。
【００７０】
eNodeB２２は、eNodeB１２と比較して、制御部１２２の代わりに制御部２２２を有する。制御部２２２は、ＱｏＳ情報補正部２２２１と、リソース制御部２２２２と、を備えている。ＱｏＳ情報補正部２２２１及びリソース制御部２２２２は、制御部２２２における制御プログラム実行時の機能ブロックとして構成される。
【００７１】
通信部１２１は、所定のメッセージを含む信号をＥＰＣ２１に送信する。また、通信部１２１は、所定の受信処理を実行することにより、ＥＰＣ２１から送信される信号を受信する。通信部１２１は、受信した信号に含まれるオフセット情報を抽出して制御部２２２のＱｏＳ情報補正部２２２１に出力し、受信した信号に含まれるメッセージを制御部２２２のリソース制御部２２２２に出力する。
【００７２】
制御部２２２は、例えばＣＰＵであり、ＱｏＳ情報に基づいてＥＰＣ２１及びＵＥ２３との間で送受信するパケットのスケジューリングを行い、ＥＰＣ２１から受信したオフセット値を示す情報に基づいてＱｏＳ情報を補正する。
【００７３】
ＱｏＳ情報補正部２２２１は、通信部１２１から入力するオフセット値を示す情報を用いて、既に取得済みのeNodeB２２で使用するＱｏＳ情報を補正し、補正後のＱｏＳ情報及びオフセット値を示す情報をリソース制御部２２２２に出力する。
【００７４】
リソース制御部２２２２は、ＱｏＳ情報に基づいて、ＥＰＣ２１及びＵＥ２３との間で送受信するパケットのスケジューリングを行う。また、リソース制御部２２２２は、ＱｏＳ情報補正部２２２１より補正後のＱｏＳ情報が入力した際に、補正後のＱｏＳ情報に基づいて、ＥＰＣ２１及びＵＥ２３との間で送受信するパケットのスケジューリングを行う。この際、リソース制御部２２２２は、ＵＥ２３毎に個別に補正されたＱｏＳ情報に基づいて、個別にＱｏＳ情報を補正されたＵＥ２３との間で送受信するパケットのスケジューリングを行う。また、リソース制御部２２２２は、ＵＥ毎に個別に送信する信号であって、通信部１２１から入力するメッセージを含む信号（以下、「ＵＥ個別信号」という）を、周波数リソースを割り当てて送受信部１２３に出力する。また、リソース制御部２２２２は、ＱｏＳ情報補正部２２２１よりオフセット情報が入力した際に、オフセット情報を含む新たな報知信号を生成するか、又は既存の報知信号にオフセット情報を含め、オフセット情報を含む報知信号を送受信部１２３に出力する。
【００７５】
送受信部１２３は、所定の無線処理を実行することにより、制御部２２２のリソース制御部２２２２から入力する報知信号およびＵＥ個別信号を無線信号に変換してＵＥ２３に無線送信する。
【００７６】
＜ＵＥの構成＞
本発明の実施の形態２に係るＵＥ２３の構成について、図１３を参照しながら、以下に詳細に説明する。なお、図１３に示すＵＥ２３の構成において、図６に示したＵＥ１３の構成と共通する部分には同一符号を付して、その説明を省略する。
【００７７】
ＵＥ２３は、ＵＥ１３と比較して、制御部１３２の代わりに制御部２３２を有する。制御部２３２は、データ解読部２３２１と、ＱｏＳ情報補正部２３２２と、リソース制御部２３２３と、を備えている。データ解読部２３２１、ＱｏＳ情報補正部２３２２及びリソース制御部２３２３は、制御部２３２における制御プログラム実行時の機能ブロックとして構成される。
【００７８】
送受信部１３１は、所定の無線処理を実行することにより、eNodeB２２から無線送信された無線信号を受信し、無線信号を報知信号あるいはＵＥ個別信号に変換して制御部２３２のデータ解読部２３２１に出力する。
【００７９】
制御部２３２は、例えばＣＰＵであり、ＱｏＳ情報に基づいてeNodeB２２との間で送受信するパケットのスケジューリングを行い、eNodeB２２から受信したオフセット情報に基づいてＱｏＳ情報を補正する。
【００８０】
データ解読部２３２１は、送受信部１３１から入力するＵＥ個別信号に含まれているメッセージを取得する。データ解読部２３２１は、取得したメッセージにオフセット値を示す情報が含まれている場合に、オフセット値を示す情報をＱｏＳ情報補正部２３２２に出力する。
【００８１】
ＱｏＳ情報補正部２３２２は、データ解読部２３２１から入力するオフセット情報を用いて、既に取得済みのＱｏＳ情報を補正する。また、ＱｏＳ情報補正部２３２２は、補正後のＱｏＳ情報をリソース制御部２３２３に出力する。また、ＱｏＳ情報補正部２３２２は、例えば、図１１に示す個別に補正されたＵＥ２３用のテーブル＃５のみでＱｏＳ情報の管理を行う。
【００８２】
リソース制御部２３２３は、ＱｏＳ情報に基づいて、eNodeB２２との間で送受信するパケットのスケジューリングを行う。また、リソース制御部２３２３は、ＱｏＳ情報補正部２３２２より補正後のＱｏＳ情報が入力した際に、補正後のＱｏＳ情報に基づいて、eNodeB２２との間で送受信するパケットのスケジューリングを行う。
【００８３】
＜通信手順＞
本発明の実施の形態２に係る通信手順について、図１４を参照しながら、以下に詳細に説明する。
【００８４】
まず、ＵＥ２３は、ＱＣＩ情報を含むメッセージBearer Resource Allocation RequestをeNodeB２２に無線送信し、eNodeB２２はＱＣＩ情報を含むメッセージBearer Resource Allocation Requestを無線受信する（Ｓ１１）。
【００８５】
次に、eNodeB２２は無線受信したＱＣＩ情報を含むメッセージBearer Resource Allocation RequestをＥＰＣ２１に送信し、ＥＰＣ２１はＱＣＩ情報を含むメッセージBearer Resource Allocation Requestを受信する（Ｓ１２）。
【００８６】
次に、ＥＰＣ２１は、オフセットの使用の有無を判定し、オフセットを使用する場合に、優先度、ＰＤＢ及びＰＥＬＲの各オフセット値を決定する（Ｓ１３）。
【００８７】
次に、ＥＰＣ２１は各オフセット情報を含むメッセージBearer Context RequestをeNodeB２２に送信し、eNodeB２２は各オフセット値を示す情報を含むメッセージBearer Context Requestを受信する（Ｓ１４）。
【００８８】
次に、eNodeB２２は各オフセット情報を含むメッセージBearer Context RequestをＵＥ２３に無線送信し、ＵＥ２３は各オフセット情報を含むメッセージBearer Context Requestを受信する（Ｓ１５）。
【００８９】
次に、ＵＥ２３は、ＱｏＳ情報を補正する（Ｓ１６）。
【００９０】
次に、ＵＥ２３は、メッセージBearer Context AcceptをeNodeB２２に無線送信し、eNodeB２２はメッセージBearer Context Acceptを無線受信する（Ｓ１７）。
【００９１】
次に、eNodeB２２はメッセージBearer Context AcceptをＥＰＣ２１に送信し、ＥＰＣ２１はメッセージBearer Context Acceptを受信する（Ｓ１８）。
【００９２】
次に、eNodeB２２は、ＱｏＳ情報を補正する（Ｓ１９）。また、ＥＰＣ２１は、ＱｏＳ情報を補正する（Ｓ２０）。
【００９３】
＜効果＞
このように、本実施の形態によれば、特定基地局の特性に対応するＱＣＩ情報とＵＥ識別情報のセットに基づいて、オフセット値の設定が必要なＵＥに対してのみ、ＱＣＩの各パラメータのオフセット値を設定する。したがって、全てのＵＥに対してＵＥ毎にＱＣＩの各パラメータのオフセット値を設定する必要が無いので、ＵＥ管理の簡略化を図ることができる。
【００９４】
また、本実施の形態によれば、報知信号を使用して、eNodeBからＵＥにオフセット情報を知らせることができるので、シグナリングの送信量を削減することができ、上り回線のトラフィックの増大を抑えることができる。
【００９５】
なお、本発明は、部材の種類、配置、個数等は前述の実施の形態に限定されるものではなく、その構成要素を同等の作用効果を奏するものに適宜置換する等、発明の要旨を逸脱しない範囲で適宜変更することができる。
【００９６】
具体的には、上記実施の形態１及び実施の形態２において、基地局識別情報とサービスの内容とを対応付けたテーブル＃１を予めＥＰＣ１１又はＥＰＣ２１で記憶しておいたが、ＥＰＣがeNodeBからサービスの内容に関する情報を取得し、テーブル＃２において取得したサービスの内容に対応付けられている各オフセット値を決定するようにしてもよい。この際、サービスの内容に関する情報は、新規のメッセージ又は既存のメッセージに含めてeNodeBからＥＰＣに送信される。
【産業上の利用可能性】
【００９７】
本発明は、通信制御装置およびＱｏＳ制御方法に好適である。
【符号の説明】
【００９８】
１  通信システム
１１、２１  ＥＰＣ
１２、２２  eNodeB
１３、２３  ＵＥ
１０１  記憶部
１０２、１２２、１３２、２０２、２２２、２３２  制御部
１０３、１２１  通信部
１２３、１３１  送受信部
１０２１、２０２１  メッセージ解読部
１０２２  オフセット判定部
１０２３  オフセット値算出部
１０２４、１２２１、１３２２、２２２１、２３２２  ＱｏＳ情報補正部
１０２５、１２２２、１３２３、２２２２、２３２３  リソース制御部
１３２１、２３２１  データ解読部
２０２２  ＵＥ個別オフセット判定部
２０２３  ＵＥ個別オフセット値算出部
２０２４  メッセージ生成部
【図１】
2018142794.tif 000003
【図２】
2018142794.tif 000004
【図３】
2018142794.tif 000005
【図４】
2018142794.tif 000006
【図５】
2018142794.tif 000007
【図６】
2018142794.tif 000008
【図７】
2018142794.tif 000009
【図８】
2018142794.tif 000010
【図９】
2018142794.tif 000011
【図１０】
2018142794.tif 000012
【図１１】
2018142794.tif 000013
【図１２】
2018142794.tif 000014
【図１３】
2018142794.tif 000015
【図１４】
2018142794.tif 000016